(57)【要約】【課題】  マッサージを行う際に枕が頭にかからないようにどける作業をすることなく、枕を使用しながら十分なマッサージ効果が得られる。【解決手段】  背もたれ部１と座部２とを備えると共に、背もたれ部１に袋状の枕表面体３と該枕表面体３に内装される弾性体４からなる枕５を備える。弾性体４におけるマッサージの際に頭の当たる部位とこの部位に隣接する部位を異なる反発力とし、マッサージの際に頭を当てる部位を低反発部７、該低反発部７に隣接する部位を高反発部６とする。【選択図】        図１
2005349136.tif 000002
【特許請求の範囲】
【請求項１】
背もたれ部と座部とを備えると共に、背もたれ部に袋状の枕表面体と該枕表面体に内装される弾性体からなる枕を備え、弾性体における上部の一部又は上部の全部と、下部の一部又は下部の全部のいずれか一方が高反発部、いずれか他方が該高反発部よりも反発力が低い低反発部となっていることを特徴とするマッサージ椅子。
【請求項２】
弾性体の上部及び下部の左右両側が高反発部で、下部の中央部が低反発部となっていることを特徴とする請求項１記載のマッサージ椅子。
【請求項３】
低反発部の上下方向の長さが人間の頭が収まる寸法に構成してあることを特徴とする請求項１又は請求項２記載のマッサージ椅子。
【請求項４】
袋状の枕表面体のうち、低反発部の表面と対向する部位を高伸縮体で構成して成ることを特徴とする請求項１乃至請求項３のいずれかに記載のマッサージ椅子。
【請求項５】
異なる形状の反発材を枕の厚み方向に貼り合わせて高反発部と低反発部を構成してあることを特徴とする請求項１乃至請求項４記載のマッサージ椅子。
【請求項６】
弾性体が、頭を当てる方向から投影した場合における弾性体の投影面の全面に及ぶ第１の反発材と、該弾性体の投影面の一部を占める第２の反発材との貼り合わせにより構成され、低反発部が第１の反発材の第２の反発材を貼り合わせていない部位により構成され、高反発部が第１の反発材と第２の反発材とが貼り合わせられている部位により構成され、第１の反発材が人体の頭が当たる弾性体の表面側に位置していることを特徴とする請求項５記載のマッサージ椅子。
【発明の詳細な説明】
【技術分野】
【０００１】
本発明は、枕を備えたマッサージ椅子に関するものである。
【背景技術】
【０００２】
背もたれ部と座部とを備えたマッサージ椅子において、背もたれ部に上半身のマッサージ機構を備えたものにおいては、主にマッサージ未使用時にマッサージ椅子に座ってくつろいだ姿勢を取ることを目的として枕を備えるものが一般的であり、例えば、マッサージ椅子の背もたれ部に枕を備えたものが、特許文献１、特許文献２の図面に開示してある。
【０００３】
これら特許文献１や特許文献２に示された背もたれ部に備えられる枕は、一般的に袋状の枕表面体内に弾性体を内装して構成してある。そして、袋状の枕表面体内に内装される弾性体としては通常一枚の発泡ウレタン等のシート若しくはブロック状材料を切り抜いて作られる高反発力の反発材で構成してある。
【０００４】
ところが、上記のように高反発力の反発材よりなる弾性体を枕表面体内に内装して構成した枕を背もたれ部に備えたままの状態で、背もたれ部に備えたマッサージ機構を利用して首筋や肩のマッサージを行うと、高反発力の反発材よりなる弾性体で頭を支持しているので、首筋や肩が背もたれ部から少し浮いたような状態となって、マッサージ機構の動きが身体に伝わり難くなり、マッサージができなかったり、あるいは本来の首筋や肩のマッサージが弱く感じられて効果的なマッサージができず、更に、弾性体が高反発力の反発材のみで形成してあるため、この高反発力の弾性体よりなる枕に頭を支持したままマッサージ機構を利用して首筋や肩のマッサージを行うと、マッサージ機構の動きが高反発の枕を介して頭に伝わり、この点でも本来の首筋や肩のマッサージが弱く感じられて効果的なマッサージができないという問題があった。
【０００５】
また、弾性体は一枚の発泡ウレタン等のシート若しくはブロック状材料を切り抜いて作られた反発材で構成してあるため、頭の位置が左右にぶれ易く、特に、枕に頭を当てた状態で首筋をマッサージする際に上記のように頭が左右にぶれ易いためうまくマッサージできないという問題があった。
【０００６】
このため、首筋や肩をマッサージする際には枕をしない状態で使用するのが望ましいが、マッサージ椅子を操作する前に枕が頭にかからないようにどける作業を強いることになるため、使い勝手が悪く、誤って、若しくは手間を惜しんで枕をしたままマッサージを行うことにより意図したマッサージ効果を発揮できない場合が生じてしまうという問題があった。
【特許文献１】特開２００４−７８８号公報
【特許文献２】特開２００２−１２６０２６号公報
【発明の開示】
【発明が解決しようとする課題】
【０００７】
本発明は上記の従来の問題点に鑑みて発明したものであって、マッサージ椅子に枕を備えたものにおいて、マッサージを行う際に枕が頭にかからないようにどける作業をすることなく、枕を使用しながら十分なマッサージ効果が得られるマッサージ椅子を提供することを課題とするものである。
【課題を解決するための手段】
【０００８】
上記課題を解決するために本発明に係るマッサージ椅子は、背もたれ部１と座部２とを備えると共に、背もたれ部１に袋状の枕表面体３と該枕表面体３に内装される弾性体４からなる枕５を備え、弾性体４の上部の一部又は上部の全部と、下部の一部又は下部の全部のいずれか一方が高反発部６、いずれか他方が該高反発部６よりも反発力が低い低反発部７となっていることを特徴とするものである。
【０００９】
このような構成とすることで、マッサージ椅子１０に座ってマッサージを行う際、枕５の低反発部７部分に頭を当ててマッサージを行うことで、頭が背もたれ部１方向に落ち込むと共に首や肩が背もたれ部１方向に落ち込むことになって、背もたれ部１に設けられているマッサージ機構によるマッサージが効果的に行えるものであり、また、マッサージの際に高反発部６で頭を支持しないので、マッサージ機構の動きを効果的に首や肩や伝えてマッサージできるものであり、また、マッサージを行わずにマッサージ椅子１０に座ってリラックスする時には、枕５の高反発部７部分に頭を当てることで、枕５のクッション性を上げてくつろいだ使用ができる。
【００１０】
また、弾性体４の上部及び下部の両側が高反発部６で、下部の中央部が上記高反発部６よりも反発力が低い低反発部７となっていることが好ましい。
【００１１】
このような構成とすることで、マッサージ椅子１０に座ってマッサージを行う際、枕５の下部中央部の低反発部７部分に頭を当ててマッサージを行うことで、上記のように背もたれ部１に設けられているマッサージ機構によるマッサージが効果的に行え、しかも、枕５の下部の左右両側の高反発部６により頭が左右方向にずれにくく、ひいては体がマッサージ椅子１０の左右方向にずれにくくなって姿勢変化によるマッサージ効果のバラツキを抑えることができる。
【００１２】
また、低反発部７の上下方向の長さが人間の頭が収まる寸法に構成してあることが好ましい。
【００１３】
このような構成とすることで、枕５に対して頭がマッサージ動作により適当な位置に沈み込みやすくなって、マッサージ効果を高めることができると共に、マッサージの際の枕５の基準位置を使用者がわかりやすいものである。
【００１４】
また、袋状の枕表面体３のうち、低反発部７の表面と対向する部位を高伸縮体１２で構成してあることが好ましい。
【００１５】
このような構成とすることで、枕５に対して頭がよりいっそうマッサージ動作に適当な位置に沈み込み易くなってマッサージ効果を高めることができる。
【００１６】
また、異なる形状の反発材を枕の厚み方向に貼り合わせて高反発部６と低反発部７を構成してあることが好ましい。
【００１７】
このような構成とすることで、反発材を切り抜き加工したものを貼り合わせることで異なる反発力の部位を備えた弾性体４を簡単に構成でき、安価に製造することができるものである。
【００１８】
また、弾性体４が、頭を当てる方向から投影した場合における弾性体４の投影面の全面に及ぶ第１の反発材８と、該弾性体４の投影面の一部を占める第２の反発材９との貼り合わせにより構成され、低反発部７が第１の反発材８の第２の反発材９を貼り合わせていない部位により構成され、高反発部６が第１の反発材８と第２の反発材９とが貼り合わせられている部位により構成され、第１の反発材８が人体の頭が当たる弾性体４の表面側に位置していることが好ましい。
【００１９】
このような構成とすることで、第１の反発材８と第２の反発材９とを貼り合わせるだけで、高反発部６と低反発部７とからなる弾性体４を構成でき、しかも、頭を当てる方向から投影した場合における弾性体４の投影面の全面に及ぶ第１の反発材８を人体の頭が当たる弾性体４の表面側に位置しているので、第１の反発材８と第２の反発材９との貼り合わせによって生じる段差が枕５の表面側に出ずに外観が良くなり、また、枕５に頭を当てて沈めた時も段差を感じず、よりくつろぐことが可能となる。
【発明の効果】
【００２０】
本発明は、マッサージ椅子に座ってマッサージを行う際、枕の低反発部に頭を当ててマッサージを行うことで、頭が背もたれ部方向に落ち込むと共に首や肩が背もたれ部方向に落ち込むことになって、背もたれ部に設けられているマッサージ機構によるマッサージが効果的に行え、また、マッサージの際に高反発部で頭を支持しないので、マッサージ機構の動きを効果的に首や肩や伝えてマッサージでき、この結果、従来のようにマッサージを行う際に枕が頭にかからないようにどける作業をすることなく、枕を使用しながら十分なマッサージ効果が得られ、また、マッサージを行わずにマッサージ椅子に座ってリラックスする時には、枕の高反発部に頭を当てることで、枕のクッション性を上げてくつろいだ使用ができるという利点がある。
【発明を実施するための最良の形態】
【００２１】
以下、本発明を添付図面に示す実施形態に基いて説明する。
【００２２】
図１に示すように、マッサージ椅子１０は背もたれ部１と座部２とを備え、更に背もたれ部１の上部に枕５を備えたものである。また、背もたれ部１にはマッサージ機構（図示せず）が設けてある。
【００２３】
枕５は袋状の枕表面体３と該枕表面体３に内装される弾性体４とにより構成してある。図２に示すように、袋状の枕表面体３の上部には舌状をした舌状布部１１が連出してある。舌状布部１１は背もたれ部１の上部表面に例えば面状ファスナーにより着脱自在に取付けてある。面状ファスナーは例えば、布の片面に雄止着部を設けた雄止着手段と、布の片面に雌止着部を設けた雌止着手段とで構成してあり、雄止着手段、雌止着手段のいずれか一方を舌状布部１１に設け、いずれか他方を背もたれ部１の上部に設け、雄止着手段を雌止手段に着脱自在に止着することで、枕５を背もたれ部１の上部に着脱自在に取付けてあり、布状をした雄止着手段を布状をした雌止手段との止着位置を上下方向にずらすことで、枕５の背もたれ部１上部への取付け位置の上下調整ができるようになっている。もちろん舌状布部１１は背もたれ部１の上部表面に取付けるに当たって他の手段により取付けてもよい。
【００２４】
弾性体４は枕表面体３の外形に沿う形状をしており、弾性体４の上部の一部又は上部の全部と、下部の一部又は下部の全部のいずれか一方が高反発部６、いずれか他方が該高反発部６よりも反発力が低い低反発部７となっている。図３に示す実施形態では弾性体４の上部が高反発部６、下部が低反発部７となっており、高反発部６を構成する発泡ウレタンからなる反発材と、低反発部７を構成する発泡ウレタンよりなる反発材とを接着して弾性体４を構成してある。なお、高反発部６や低反発部７構成する反発材としては発泡ウレタンが安価で好ましいが、他に綿、化繊綿、羽毛等でもよい。
【００２５】
マッサージ椅子１０の使用者は、マッサージする際には枕５の低反発部７に頭を当てる。ここで本実施形態では枕５を上方にずらしておくことで枕５の低反発部７に頭を当てた状態でマッサージができ、この場合、弾性体４の低反発部７に頭を当てると、頭が背もたれ部１の方に落ち込むことで首や肩が背もたれ部１側に落ち込むことになってマッサージ機構による首筋や肩のマッサージが効果的となる。また、枕５を更に上方にずれしておくと、枕５に頭を当てない状態でマッサージをすることもできる。
【００２６】
一方、マッサージを行わずにマッサージ椅子１０に座ってリラックスする時には、枕５を下方にずらして高反発部７部分に頭を当てることで、枕５のクッション性を上げてくつろいだ使用ができる。
【００２７】
図４、図５には枕５の他の実施形態が示してある。本実施形態では、図５に示すように弾性体４の上部及び下部の両側が高反発部６で、下部の中央部が上記高反発部６よりも反発力が低い低反発部７となっている。
【００２８】
このように弾性体４の下部の中央部が上記高反発部６よりも反発力が低い低反発部７となっていることで、上記の実施形態と同様に、マッサージする際に枕５の下部中央部の低反発部７に頭を当てることで、頭が背もたれ部１の方に落ち込むことで首や肩が背もたれ部１側に落ち込むことになってマッサージ機構による首筋や肩のマッサージが効果的にできることに加え、枕５の下部の左右両側の高反発部６により頭が左右方向にずれにくくなり、これにより使用者の身体がマッサージ椅子１０の左右方向にずれにくくなって姿勢変化によるマッサージ効果のバラツキを抑えることができることになる。
【００２９】
ここで、弾性体４の上部及び下部の両側が高反発部６で、下部の中央部が上記高反発部６よりも反発力が低い低反発部７となるように構成するに当たっては、例えば、異なる形状の反発材を枕の厚み方向に貼り合わせて高反発部６と低反発部７を構成することができる。すなわち、図５に示すように、弾性体４を、頭を当てる方向から投影した場合における弾性体４の投影面の全面に及ぶ第１の反発材８と、該弾性体４の投影面の一部を占める第２の反発材９との貼り合わせて構成するものであり、より具体的には第２の反発材９は第１の反発材８の上部と下部の左右とに沿う略逆Ｕ字状に形成してあり、この略逆Ｕ字状をした第２の反発材９を第１の反発材８の上部の全部及び下部の左右に重ねて接着することで弾性体４を構成してある。このように構成した弾性体４は下部の中央部が略逆Ｕ字状の第２の反発材９を貼り合わせた部位（第１の反発材８と第２の反発材９とが重複している部位）に対して反発が少ない部位、つまり低反発部７となり、第１の反発材８と第２の反発材９とが貼り合わせられている部位（つまり第１の反発材８と第２の反発材９とが重複している部位）が高反発部６となる。このように、異なる形状の反発材を枕５の厚み方向に貼り合わせて高反発部６と低反発部７を構成することにより、反発材を切り抜き加工したものを貼り合わせるだけで異なる反発力の部位を備えた弾性体４を簡単に構成でき、安価に製造することができる。
【００３０】
なお、貼り合せる反発材は互いに異なる材料、異なる反発力のものであってもよい。更に、３つ以上の反発材（少なくとも３つ以上の反発材のうち１つ以上は他の反発材と形状が異なる）を厚み方向に重ねて接着することで高反発部６と低反発部７を有する弾性体４を形成するようにしてもよい。
【００３１】
上記のように形状の異なる複数の反発材を厚み方向に重ねて接着して弾性体４を形成するに当たって、第１の反発材８が人体の頭が当たる弾性体４の表面側に位置するようにするのが好ましい。これにより第１の反発材８と第２の反発材９との貼り合わせによって生じる段差（凹凸面）が枕５の表面側に出ずに外観が良くなり、また、枕５に頭を当てて沈めた時も段差を感じず、よりくつろぐことが可能となる。
【００３２】
前述のいずれの実施形態においても、低反発部７の上下方向の長さを人間の頭が収まる寸法に構成する。つまり、枕５の下端を耳位置と揃えて頭を凭れかけた時に頭が低反発部７に収まる所定寸法としておくことで、マッサージの際に枕５に自然に頭をのせてから下端を耳位置とで揃えることでマッサージ動作を妨げることがない。したがって、マニュアル等でそのマッサージの際の枕５の位置を説明すれば更に効果的である。
【００３３】
高反発部６、低反発部７を有する弾性体４を収納する枕表面体３を図４に示すように低反発部７の表面と対向する部位を高伸縮性の生地よりなる高伸縮体１２で形成し、他の部位をこれよりに伸縮性の低い、あるいは伸縮性の無い生地により形成してもよい。このような構成とする、枕５に対して頭がよりいっそうマッサージ動作に適当な位置に沈み込み易くなってマッサージ効果を高めることができるものである。
【図面の簡単な説明】
【００３４】
【図１】本発明のマッサージ椅子の斜視図である。
【図２】同上に用いる枕を示し、（ａ）は正面図であり、（ｂ）は側面図である。
【図３】同上に用いる弾性体を示し、（ａ）は正面図であり、（ｂ）は側断面図である。
【図４】同上に用いる枕の他の実施形態を示し、（ａ）は正面図であり、（ｂ）は側面図である。
【図５】同上に用いる弾性体を示し、（ａ）は正面図であり、（ｂ）は側断面図である。
【符号の説明】
【００３５】
１  背もたれ部
２  座部
３  枕表面体
４  弾性体
５  枕
６  低反発部
７  高反発部
８  第１の反発材
９  第２の反発材
【図１】
2005349136.tif 000003
【図２】
2005349136.tif 000004
【図３】
2005349136.tif 000005
【図４】
2005349136.tif 000006
【図５】
2005349136.tif 000007